(57)【特許請求の範囲】
【請求項１】
シリカゲルを収容する収容器と、
前記収容器を、鉛直方向に対して傾斜する軸周りに回転自在に保持する回転台と、
前記回転台を回転させるための駆動機構と、
前記収容器内に温風を供給する温風供給装置と、
を有し、
前記回転台は、前記収容器を着脱自在に保持する保持部を有し、
前記収容器と前記保持部とは同一形状の器体でなり、
前記保持部をなす前記器体に、前記収容器をなす前記器体が重ねられた状態で回転されることを特徴とするシリカゲルの再生装置。
【請求項２】
前記器体は着脱自在な蓋を有することを特徴とする請求項１に記載のシリカゲルの再生装置。
【請求項３】
前記収容器は、バケツであることを特徴とする請求項１又は請求項２に記載のシリカゲルの再生装置。
【請求項４】
前記駆動機構は、
モーターと、
前記モーターが支持される支持台と、
前記モーターの出力軸と前記回転台とに掛け渡される輪ゴムと、
を有していることを特徴とする請求項１乃至請求項３のいずれかに記載のシリカゲルの再生装置。
【請求項５】
前記駆動機構は、前記支持台に対するクランプ位置を変更可能に、当該支持台をクランプするクランプ材を有し、
前記クランプ材は前記支持台にクランプされて前記輪ゴムを付勢することを特徴とする請求項４に記載のシリカゲルの再生装置。
【請求項６】
前記温風供給装置は、ヘアードライヤであることを特徴とする請求項１乃至請求項５のいずれかに記載のシリカゲルの再生装置。
【発明の詳細な説明】
【技術分野】
【０００１】
本発明は、吸湿状態のシリカゲルを再生させるシリカゲルの再生装置に関する。
【背景技術】
【０００２】
シリカゲルの再生装置としては、たとえば、特許文献１に記載されるように、ケーシング内に形成された風路にファンと温風ヒータと吸湿剤とが送風方向に配置され、空気がファンによりケーシング内に導入されて温風ヒータにより生成された温風により吸湿剤を乾燥（再生）させる構成としたものが知られている。
【先行技術文献】
【特許文献】
【０００３】
【特許文献１】特開平６−４７２４０号公報
【発明の概要】
【発明が解決しようとする課題】
【０００４】
上記のような除湿器は、吸湿剤が移動することなく、一定の方向から温風が吹き付けられるため、温風が除湿剤に局所的に当たることになり、全体が万遍なく乾燥するまでに多大な時間を要する。
本発明は、このような事情に鑑みてなされたものであり、その目的は、シリカゲル全体を効率的に乾燥させるシリカゲルの再生装置を提供することにある。
【課題を解決するための手段】
【０００５】
前述の目的を達成するため本発明は、シリカゲルを収容する収容器と、前記収容器を、鉛直方向に対して傾斜する軸周りに回転自在に保持する回転台と、前記回転台を回転させるための駆動機構と、前記収容器内に温風を供給する温風供給装置と、を有し、前記回転台は、前記収容器を着脱自在に保持する保持部を有し、前記収容器と前記保持部とは同一形状の器体でなり、前記保持部をなす前記器体に、前記収容器をなす前記器体が重ねられた状態で回転されることを特徴とするシリカゲルの再生装置である。
【０００６】
このようなシリカゲルの再生装置によれば、鉛直方向に対して傾斜する軸周りに回転自在な収容器に収容されたシリカゲルは、収容器が駆動機構により回転されると収容器内にて攪拌される。また、温風供給装置により収容器内に温風を供給することができるので、シリカゲルに万遍なく温風を吹き付けて、シリカゲル全体を効率的に乾燥させることが可能である。【０００７】
また、前記回転台は、前記収容器を着脱自在に保持する保持部を有するため、シリカゲルが収容される収容器は着脱自在なので、容器を移し替えることなく、再生装置から外した収容器に収容された再生したシリカゲルを運ぶことが可能である。
【０００９】
更に、前記収容器と前記保持部とは同一形状の器体でなり、前記保持部をなす前記器体に、前記収容器をなす前記器体が重ねられた状態で回転されるため、収容器と保持部とが同一形状の器体なので、収容器と保持部とを重ねることにより、保持部をなす器体の内周面と収容器をなす器体の外周面とが接触して係合するので、収容器を保持部に挿入するだけで収容器を回転可能に保持することが可能である。
【００１０】
かかるシリカゲルの再生装置であって、前記器体は着脱自在な蓋を有することが望ましい。
このようなシリカゲルの再生装置によれば、器体が蓋を有しているので、収容器を外して持ち運ぶときには蓋をすることによりシリカゲルが零れることを防止することが可能である。【００１１】
かかるシリカゲルの再生装置であって、前記収容器は、バケツであることが望ましい。
このようなシリカゲルの再生装置によれば、収容器として市販品であるバケツを用いることで安価に製造することが可能である。【００１２】
かかるシリカゲルの再生装置であって、前記駆動機構は、モーターと、前記モーターが支持される支持台と、前記モーターの出力軸と前記回転台とに掛け渡される輪ゴムと、を有していることが望ましい。【００１３】
このようなシリカゲルの再生装置によれば、モーターの伝達手段として市販品である輪ゴムを用いていることで、より安価に製造することが可能である。【００１４】
かかるシリカゲルの再生装置であって、前記駆動機構は、前記支持台に対するクランプ位置を変更可能に、当該支持台をクランプするクランプ材を有し、前記クランプ材は前記支持台にクランプされて前記輪ゴムを付勢することが望ましい。【００１５】
このようなシリカゲルの再生装置によれば、クランプ位置を変更可能なクランプ材が輪ゴムを付勢するので、クランプ位置を変更することにより、輪ゴムを適切なテンションに設定することが容易である。【００１６】
かかるシリカゲルの再生装置であって、前記温風供給装置は、ヘアードライヤであることが望ましい。
このようなシリカゲルの再生装置によれば、温風供給装置として市販品であるヘアードライヤを用いることで、安価で入手しやすく、持ち運びも容易なシリカゲルの再生装置を提供することが可能である。
【発明の効果】
【００１７】
本発明によれば、シリカゲル全体を効率的に乾燥させるシリカゲルの再生装置を提供することが可能である。
【図面の簡単な説明】
【００１８】
【図１】本発明の一実施形態に係るシリカゲルの再生装置の構成を示す斜視図である。
【図２】シリカゲルを再生している様子を示す斜視図である。
【図３】シリカゲルの再生装置が備える駆動機構を示す分解斜視図である。
【発明を実施するための形態】
【００１９】
以下、本発明の一実施形態に係るシリカゲルの再生装置について図面を参照して説明する。図１は、本発明の一実施形態に係るシリカゲルの再生装置の構成を示す斜視図である。図２は、シリカゲルを再生している様子を示す斜視図である。図３は、シリカゲルの再生装置が備える駆動機構を示す分解斜視図である。
【００２０】
本実施形態に係るシリカゲルの再生装置１は、図１〜図３に示すように、平坦な床などに載置される支持台２と、支持台２に回転自在に設けられた回転台３と、回転台３を回転させる駆動機構４と、回転台３に保持されてシリカゲル５が収容される収容器６と、収容器６に温風を供給する温風供給装置７と、を備えている。
【００２１】
支持台２は、床等に載置され上下の面が各々平坦な載置部２１と、載置部２１に設けられ当該載置部２１の上面２１ａに対して所定の角度をなして傾斜する傾斜台部２２と、を有している。本実施形態の載置部２１は、例えば、円盤状をなす２枚の木製板材２１ｂが、上下方向に間隔を隔てて固定されている。２枚の木製板材２１ｂは、シリカゲル５の再生装置１を持ち上げる作業者の指が挿入可能な間隔にて固定されている。
【００２２】
傾斜台部２２は、円盤状をなす載置部２１の略中央に一端が固定されており、この固定された一端から所定方向に延び、載置部２１の端部側に向かって高さが高くなる傾斜面２２ａを有している。傾斜面２２ａには、ホルダー９を介してベアリング８が固定されるとともに、ベアリング８に挿通されるビス１０等が貫通する穴（不図示）が設けられている。
【００２３】
ホルダー９は、中央にベアリング８の装着部９ａと、装着部９ａの外周側に延出して傾斜面２２ａに当接する鍔部９ｂとを有している。鍔部９ｂの外側には、ベアリング８と同心円をなし、傾斜面に２２に対して垂直に立ち上がったホルダー外周壁部９ｃを有している。ホルダー９は鍔部９ｂが傾斜台部２２にビス止めされている。
【００２４】
回転台３は、シリカゲル５が収容される収容器６を保持する保持部３０と、駆動機構４により回転される回転台本体３１と、を有しており、保持部３０が回転台本体３１と共に回転する。
本実施形態では、保持部３０及び収容器６として、互いに同形状を有する市販品のバケツを用いており、互いに重ねることが可能である。以下の説明においては、収容器６をなすバケツを収容バケツ６とし、保持部３０をなすバケツを保持バケツ３０として説明する。
【００２５】
収容バケツ６には、取手６ａが設けられており、また、シリカゲルの再生装置１の稼働時には取り外されるが、取り付け可能な蓋６１が設けられている。
回転台本体３１は、ベアリング８の内輪内に挿入される筒状部３２と、筒状部３２における、傾斜面２２ａと反対側の端（以下、上端という）に設けられ筒状部３２を中心とする円盤状をなす平板部３３と、平板部３３の外側にベアリング８と同心円をなして傾斜面２２ａ側に、傾斜面に２２に対して鉛直に立ち上がった回転台外周壁部３４と、を有している。
【００２６】
筒状部３２は、ベアリング８が有する内輪の内径と略同じ外径をなしており、筒状部３２は略隙間なくベアリング８の内輪内に挿入されている。すなわち、筒状部３２が回転する回転台３の軸をなしている。
【００２７】
回転台３の外周壁部３４は、筒状部３２と同心となるように形成されており、回転台３の筒状部３２がベアリング８に挿入されたときに、ホルダー９のホルダー外周壁部９ｃと同心となり、かつ、ホルダー外周壁部９ｃとの間に僅かに隙間が形成されるように配置される。
【００２８】
回転台本体３１と保持バケツ３０とは、回転台本体３１の筒状部３２がベアリング８の内輪内に挿入された状態で、傾斜台部２２の下面側からベアリング８及び筒状部３２を貫通するビスの頭部がベアリング８の内輪に下方から当接され、筒状部３２を貫通し保持バケツ３０の底に設けられた孔３０ａから突出するビス１０の先端側にナット１０ａが螺合されて固定されている。
【００２９】
駆動機構４は、傾斜台部２２に固定される駆動フレーム４０、駆動フレーム４０に取り付けられるモーター４１、モーター４１の出力軸４１ａと回転台３の回転台外周壁部３４とに掛け渡されてモーター４１の動力を回転台３に伝達する輪ゴム４２と、駆動フレーム４０に取り付けられて輪ゴム４２を案内するクランプ材としてのシャコ万力４３と、を有している。
【００３０】
駆動フレーム４０は、傾斜台部２２に固定されたときに傾斜面２２ａと同じ傾きを有する面を形成する板状の部材である。モーター４１は、駆動フレーム４０の下面側に取り付けられて出力軸４１ａが上面側に突出している。モーター４１の出力軸４１ａには、先端を拡径して、輪ゴム４２が外れることを防止するストッパー４１ｂが設けられている。
【００３１】
本実施形態の輪ゴム４２は、市販品であり幅が広いタイプの輪ゴム４２を用いている。シャコ万力４３は、着脱自在なため、駆動フレーム４０の適宜位置を挟持して輪ゴム４２を押圧する位置に取り付けられ、輪ゴム４２に適切なテンションが付与されるように調節されて駆動フレーム４０に固定される。
【００３２】
温風供給装置７は、ヘアードライヤ７０と、保持バケツ３０に装着された収容バケツ６内にヘアードライヤ７０の温風が送出されるようにヘアードライヤ７０に固定されるスタンド部７１と、を有している。本実施形態では、市販品であるヘアードライヤ７０を用いており、ヘアードライヤ７０とスタンド部７１とは一体に形成されている。また、温風供給装置７は、支持台２と分離されているので、シリカゲルの再生装置１を使用する際には、載置部２１上に配置しても、床上に載置しても構わない。
【００３３】
本実施形態に係るシリカゲルの再生装置１は、吸湿しているシリカゲル５が収容されている収容バケツ６を、支持台に取り付けられている保持バケツ３０の内側に挿入し、モーター及びヘアードライヤ７０のスイッチを入れて使用する。このとき、収容バケツ６と、収容バケツ６の中に収容されているシリカゲル５の自重により、収容バケツ６の外周面が保持バケツ３０の内周面を押圧して、２つのバケツ６、３０が重なり合った状態になる。
【００３４】
そして、モーターの回転が輪ゴム４２を介して回転台本体３１に伝達されると、回転台本体３１に固定されている保持バケツ３０に係合している収容バケツ６も保持バケツ３０と一体となって回転する。このとき、保持バケツ３０及び収容バケツ６の回転軸は、鉛直方向に対して傾斜しているので、保持バケツ３０及び収容バケツ６は傾いた状態で回転する。収容バケツ６が傾いた状態で回転することにより、内部に収容されているシリカゲル５は、所定高さまでは収容バケツ６の内面とともに上昇していくが、所定の高さを超えると順次下方に位置するシリカゲル５側に落下し、これにより、収容バケツ６内においてシリカゲル５が攪拌される。この状態で、収容バケツ６内には、ヘアードライヤ７０から温風が供給されているため、収容バケツ６内のシリカゲル５には攪拌されつつ温風が吹き付けられる。
【００３５】
このように、本実施形態のシリカゲルの再生装置１によれば、収容バケツ６に収容されたシリカゲル５は攪拌されながら、温風供給装置７により温風が供給されるので、シリカゲル５に万遍なく温風を吹き付けて、シリカゲル５全体を効率良く乾燥・再生させることが可能である。また、温風が一部のシリカゲル５のみに集中して吹き付けられないので、過熱によるシリカゲル５の損傷を防止することが可能である。
【００３６】
また、シリカゲル５が収容される収容バケツ６は着脱自在なので、収容バケツ６内の吸湿しているシリカゲル５を再生装置１側に移す、或いは、乾燥させたシリカゲル５を収容バケツ６等の別の容器に移す手間が不要である。また、収容器としてバケツを用いたので、乾燥させて再生したシリカゲル５が収容されて保持バケツ３０に保持されている収容バケツ６を保持バケツ３０から外して、そのまま持ち運ぶことが可能である。
【００３７】
また、シリカゲルの再生装置１自身は小型であり、支持台２側と温風供給装置７とを分離可能とし、支持台２を把持しやすい構成としたので、設置場所が限定されず、所望の場所に移動させて使用することが可能である。
【００３８】
また、収容バケツ６と保持バケツ３０とが同一形状の器体なので、収容バケツ６と保持バケツ３０とを重ねることにより、保持バケツ３０の内周面と収容バケツ６の外周面とが接触して係合するので、収容バケツ６を保持バケツ３０に挿入するだけで収容バケツ６を回転可能に保持することが可能である。
【００３９】
また、収容バケツ６は、取り外し可能な蓋６１を有しているので、収容バケツ６を保持バケツ３０から取り外して持ち運ぶときにシリカゲル５が零れることを防止することが可能である。
【００４０】
また、クランプ位置を変更可能なシャコ万力４３が輪ゴム４２を付勢するので、シャコ万力４３クランプ位置を変更することにより、輪ゴム４２を適切なテンションに設定することが容易である。本実施形態においては、シャコ万力４３が輪ゴム４２を直接付勢する例について説明したが、これに限らず、シャコ万力４３に輪ゴム４２を案内する部材が設けられていてもよい。輪ゴム４２を案内する部材としては、例えば、ダブルクリップによりシャコ万力のねじ部を挟み、ダブルクリップの板ばねの外周部分を輪ゴムに摺接させる構成としても良い。
【００４１】
また、本実施形態のシリカゲルの再生装置１を構成する収容器６及び収容器６の保持部３０であるバケツ６、３０、モーター４１の動力を伝達する部材である輪ゴム６、温風供給装置７であるヘアードライヤ７０等は何れも市販品として安価に入手可能であるため、低コストでシリカゲルの再生装置１を提供することが可能である。
【００４２】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４３】
１  再生装置、２  支持台、３  回転台、４  駆動機構、５  シリカゲル、
６  収容バケツ、６  収容器、６ａ  取手、７  温風供給装置、８  ベアリング、
９  ホルダー、９ａ  装着部、９ｂ  鍔部
９ｃ  ホルダー外周壁部、２１  載置部、２１ａ  上面、２１ｂ  木製板材、
２２  傾斜台部、２２ａ  傾斜面、３０  保持バケツ、３０  保持部、
３１  回転台本体、３２  筒状部、３３  平板部、３４  回転台外周壁部、
４０  駆動フレーム、４１  モーター、４１ａ  出力軸、４１ｂ  ストッパー、
４２  輪ゴム、４３  シャコ万力、６１  蓋、７０  ヘアードライヤ、
７１  スタンド部、
【要約】
シリカゲルを収容する収容器と、鉛直方向に対して傾斜する軸を備え、前記軸を中心として前記収容器を回転自在に支持する回転台と、前記回転台を回転させるための駆動機構と、前記収容器内に温風を供給する温風供給装置と、を有する。【図１】
0006288389.tif 000002
【図２】
0006288389.tif 000003
【図３】
0006288389.tif 000004